(57)【要約】      （修正有）【課題】空気洗浄ユニットのホコリ量検出装置を提供する。【解決手段】本考案のホコリ量検出装置は、空気洗浄ユニットとファンの間に位置して、空気洗浄ユニット上のホコリ累積程度を検出し、このホコリ量検出装置は二つの温度センサー、及び、加熱器を有し、温度センサーは環境温度を感知し、もう一つの温度センサーは加熱器上に位置して、加熱器の温度を感知し、この環境温度と加熱器温度間の温度差ΔT１と設定された基準温度差ΔT２の比較結果に基づいて、空気洗浄ユニット上に累積したホコリ量程度を判断する。【選択図】図２
0003136357.tif 000002
【実用新案登録請求の範囲】
【請求項１】
ホコリ量検出装置であって、空気洗浄ユニットとファンの間に位置し、前記ホコリ量検出装置は、環境温度を感知する第一温度センサーと、加熱器と、前記加熱器上に位置し、前記加熱器の温度を感知する第二温度センサーとからなり、前記環境温度と前記加熱器の温度間の温度差ΔT１と設定される基準温度差ΔT２の比較結果に基づいて、前記空気洗浄ユニット上に累積したホコリ量程度を判断することを特徴とする、ホコリ量検出装置。
【請求項２】
前記基準温度差ΔT２は前記空気洗浄ユニットにホコリが詰まっていない時、前記第一、第二温度センサーがそれぞれ感知した環境温度と前記加熱器温度の温度差を前記基準温度差ΔT２とすることを特徴とする、請求項１に記載のホコリ量検出装置。
【請求項３】
前記環境温度と前記加熱器の温度差ΔT１は、前記基準温度差ΔT２と差が大きいほど、前記空気洗浄ユニットのホコリ量が多いことを示すことを特徴とする、請求項１に記載のホコリ量検出装置。
【請求項４】
前記空気洗浄ユニットと前記ファンは電位装置内に位置することを特徴とする、請求項１に記載のホコリ量検出装置。
【請求項５】
前記電子装置は、前記第一、第二温度センサーに結合される制御ユニットを有し、前記環境温度と前記加熱器の温度差を計算することを特徴とする、請求項４に記載のホコリ量検出装置。
【請求項６】
前記温度差ΔT１と前記基準温度差ΔT２の温度差が警告温度を超過する時、前記制御ユニットは前記電子装置を停止することを特徴とする、請求項５に記載のホコリ量検出装置。
【請求項７】
前記電子装置は、更に、前記制御ユニットに結合されるメモリを有し、前記メモリは前記基準温度差を保存することを特徴とする、請求項５に記載のホコリ量検出装置。
【請求項８】
前記電子装置は、更に、前記制御ユニットに結合される警告ユニットを有し、前記温度差ΔT１と前記基準温度差ΔT２間の温度差が警告温度を超過する時、前記警告ユニットは警告信号を発信することを特徴とする、請求項５に記載のホコリ量検出装置。
【請求項９】
前記警告信号はランプ信号であることを特徴とする、請求項８に記載のホコリ量検出装置。
【請求項１０】
前記警告信号は音声信号であることを特徴とする、請求項８に記載のホコリ量検出装置。
【請求項１１】
前記警告信号はOSD信号であることを特徴とする、請求項８に記載のホコリ量検出装置。
【請求項１２】
前記加熱器は抵抗で、固定電圧を有して、前記抵抗両端に施加することを特徴とする、請求項１に記載のホコリ量検出装置。
【請求項１３】
前記空気洗浄ユニットはフィルターであることを特徴とする、請求項１に記載のホコリ量検出装置。
【考案の詳細な説明】
【技術分野】
【０００１】
本考案は、ホコリ量検出装置に関するものであって、特に、使用者が適時に空気洗浄ユニットに対し、交換、或いは、洗浄を実行することができるホコリ量検出装置に関するものである。
【背景技術】
【０００２】
科学技術の発展に伴い、人々は多くの電子装置を開発し、電子装置は多種の発熱素子を有するので、電子装置が作動する時、内部の温度も高くなり、電子装置内部の温度環境が高すぎると、電子装置が故障を生じやすく、正常に作動しなくなる。
【０００３】
よって、電子装置の発熱素子により生成される熱エネルギーを快速に散熱させるため、通常は、電子装置内部に散熱装置を内設し、例えば、ファンにより熱対流を増加させて、電子装置が正常な作業環境下で作動できるようにしている。また、ファンの吸風口、或いは、排風口に空気洗浄ユニット、例えば、フィルターを設置し、ファンが回転する時、外部環境の冷たい空気をフィルターから電子装置内部に送入し、ファンが電子装置内部の高温空気を排出して、温度を下げる効果を達成する。
【０００４】
しかし、フィルターは、通常、ホコリを堆積し、フィルター上に累積したホコリが多くなると、フィルターを通過する気流量が減少し、ファンの回転速度が高くなり、電子装置内の熱エネルギーが効果的に排出されなくなる。
【考案の開示】
【考案が解決しようとする課題】
【０００５】
上述の問題を改善するために、本考案は、空気洗浄ユニットのホコリ量を検出する検出装置を提供する。  
【課題を解決するための手段】
【０００６】
本考案のホコリ量検出装置は、空気洗浄ユニットのホコリ累積程度を検出し、ホコリ量検出装置は電子装置内に装着されて、電子装置はホコリ量検出装置が検出した結果に基づいて自主的に使用者に適時の空気洗浄ユニットの交換や洗浄の注意を促し、電子装置の正常な作動を確保する。
【０００７】
本考案のホコリ量検出装置は、空気洗浄ユニットとファンの間に位置し、空気洗浄ユニットとファンは電子装置内に位置する。ホコリ量検出装置は、環境温度を感知する第一温度センサーと、熱エネルギーを提供する加熱器と、加熱器上に位置し、加熱器の温度を感知する第二温度センサーと、からなる。環境温度と加熱器の温度間の温度差ΔT１と設定される基準温度差ΔT２の比較結果に基づいて、空気洗浄ユニット上に累積したホコリ量程度を判断する。
【０００８】
本考案の電子装置は、制御ユニットと警告ユニットとを有し、制御ユニットは温度差ΔT１と基準温度差ΔT２間の温度差ΔTを計算すると共に、温度差ΔTと警告温度と比較し、温度差ΔTが警告温度より高い時、制御ユニットが警告ユニットに警告信号を発信させて、使用者に、空気洗浄ユニットの交換か洗浄の注意を促す。
【考案の効果】
【０００９】
本考案のホコリ量検出装置は、空気洗浄ユニットのホコリ累積程度を検出し、使用者に適時の空気洗浄ユニットの交換や洗浄の注意を促し、電子装置の正常な作動を確保する。
【考案を実施するための最良の形態】
【００１０】
本考案のホコリ量検出装置は、電子装置上に応用し、電子装置上の空気洗浄ユニットのホコリ量程度を検出し、使用者に交換か洗浄が必要かどうかを注意させる。電子装置はファン、及び、空気洗浄ユニットを装着する電子装置、例えば、投影機、コンピュータ、空調装置、除湿機、或いは、その他の電子装置である。
【００１１】
図１は、本考案の電子装置構造を示す図である。図のように、本考案の電子装置１０内に、風道１２、ファン１４、フィルター等の空気洗浄ユニット１６、及び、電子装置の作動を制御し、ファン１４を結合して、ファン１４の回転速度を制御し、ファン１４が回転する時、電子装置１０外の気流が空気洗浄ユニット１６を経由して電子装置１０内に進入する制御ユニット１３、及び、制御ユニット１３に結合され、データを保存するメモリ１５と、からなり、空気洗浄ユニット１６は風道１２の一端に位置し、ファン１４は風道１２のもう一端に位置し、且つ、メモリ１５は電気的消去可能ROM（EEPROM）である。
【００１２】
図２で示されるように、ホコリ量検出装置１８は電子装置１０内に設置されて、空気洗浄ユニット１６上に累積したホコリ量程度を検出する。図で示されるように、ホコリ量検出装置１８は電子装置１０内に位置し、且つ、空気洗浄ユニット１６とファン１４の間に位置し、二つの温度センサー１８１、１８２、及び、熱エネルギーを提供する加熱器１８３と、からなる。加熱器１８３は、例えば、セメント抵抗、或いは、熱抵抗で、固定電圧が抵抗両端に施加され、固定温度を有し、且つ、温度センサー１８１は風道１２の一位置上、或いは、電子装置１０内の任意の位置に位置し、電子装置１０の制御ユニット１３に結合され、環境温度T１を感知すると共に、この環境温度T１結果を制御ユニット１３に伝送する。加熱器１８３は風道１２のもう一つの位置に位置し、且つ、温度センサー１８２は加熱器１８３上に位置すると共に、電子装置１０の制御ユニット１３に結合されて、加熱器１８３の温度T２を感知すると共に、加熱器温度T２結果を制御ユニット１３に伝送し、その後、制御ユニット１３は環境温度T１と加熱器温度T２間の温度差ΔT１を計算し、この温度差ΔT１とメモリ１５内に設定された基準温度差ΔT２と比較し、即ち、温度差ΔT１と基準温度差ΔT２間の温度差ΔT（＝ΔT１−ΔT２）を計算し、この温度差ΔTに基づいて、空気洗浄ユニット１６上に累積したホコリ量程度を判断することができ、温度差ΔTが大きくなる時、空気洗浄ユニット１６上のホコリ量が多いことを示す。また、制御ユニット１３は環境温度T１、加熱器温度T２、温度差ΔTの温度値データをメモリ１５内に保存する。
【００１３】
基準温度差ΔT２は空気洗浄ユニット１６がホコリの被害を受けていない時、温度センサー１８１により感知された環境温度T１’と温度センサー１８２が感知した加熱器温度T２’の温度差を基準温度差ΔT２とし、即ち、ΔT２＝T２’―T１’で、温度センサー１８１、１８２はそれぞれ環境温度T１’、加熱器T２’温度を制御ユニット１３に伝送して基準温度差ΔT２を計算すると共に、メモリ１５内に保存し、参考比較する。また、空気洗浄ユニット１６のホコリが詰まる時、制御ユニット１３はファン１４の回転を加速するので、大きい風量が加熱器１８３に吹かれて、加熱器温度T２が下降し、故に、環境温度T１と加熱器温度T２間の温度差ΔT１は大きくなる。また、空気洗浄ユニット１６のホコリが大量の時、制御ユニット１３はファン１４を加速させるが、空気洗浄ユニット１６の重大なホコリ詰まりのために、加熱器１８３への風量が小さく、加熱器温度T２が上昇する。よって、このような状況下で、環境温度T１と加熱器温度T２間の温度差ΔT１も大きくなる。故に、加熱器温度T２は温度上昇、下降にかかわらず、皆、ホコリが空気洗浄ユニット１６に累積していることを示し、且つ、環境温度T１と加熱器温度T２の温度差ΔT１と設定された基準温度差ΔT２の差が大きくなるほど、空気洗浄ユニット１６上に累積したホコリ量が多く、詰まり程度が高いことを示す。
【００１４】
更に、適時に使用者に空気洗浄ユニット１６の交換や洗浄の注意を促すために、電子装置１０は、更に警告ユニット２０を有して、自動的に使用者に注意を促し、図３の電子装置とホコリ量検出装置の回路で示されるように、警告ユニット２０は制御ユニット１３と結合し、メモリ１５内に警告温度が存在して、制御ユニット１３に計算後の温度差ΔTと警告温度の比較を提供して比較させ、温度差ΔTが警告温度を超過する時、制御ユニット１３は警告ユニット２０を起動して、例えば、ランプ信号、音声信号等の警告信号、或いは、OSD信号を発信し、電子装置１０のスクリーン（図示しない）により空気洗浄ユニット１６の現在のホコリ累積量、詰まり程度の如何を表示する。温度差ΔTが警告温度を大幅に超過する時、制御ユニット１３は直接、電子装置を停止して、電子装置１０の温度が高くなるのを防止する。
【００１５】
上述のように、本考案のホコリ量検出装置は、適時、空気洗浄ユニットに対する交換や洗浄をサポートし、電子装置が温度上昇により故障するのを防止し、ファンや空気洗浄ユニットを有する電子装置は本考案のホコリ量検出装置を利用して、ホコリ量の検出を実行できる。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１７】
【図１】本考案の電子装置の構造を示す図である。
【図２】本考案の電子装置とホコリ量検出装置の構造を示す図である。
【図３】本考案の電子装置とホコリ量検出装置の回路図である。
【符号の説明】
【００１８】
１０    電子装置
１２    風道
１３    制御ユニット
１４    ファン
１５    メモリ
１６    空気洗浄ユニット
１８    ホコリ量検出装置
１８１  温度センサー
１８２  温度センサー
１８３  加熱器
２０    警告ユニット
【図１】
0003136357.tif 000003
【図２】
0003136357.tif 000004
【図３】
0003136357.tif 000005